(57)【特許請求の範囲】
【請求項１】
チューブ容器と、該チューブ容器よりも背の低い背低容器を並べ、チューブ容器の口部を下向きにして保持する容器ホルダであって、
背低容器の下端面がチューブ容器の下端面よりも高い位置となるように背低容器を保持する容器保持穴が形成された柱状部、
チューブ容器のエンドシール側を保持すると共に、背低容器の上方を覆う庇状フラップ、及び
チューブ容器と背低容器の背面に対向する背面板、を有し、
背面板の上端辺と庇状フラップが連続し、柱状部が背面板に固定されている容器ホルダ。
【請求項２】
板紙製ブランクシートの折り曲げにより形成された請求項１記載の容器ホルダ。
【請求項３】
庇状フラップから容器保持穴側に延設された中央フラップを有し、中央フラップからさらに容器保持穴側に折り込み片が延設され、折り込み片が容器保持穴の内側に折り込まれ、その折線が容器保持穴に嵌められた背低容器の天面に当接する請求項２記載の容器ホルダ。
【請求項４】
柱状部の底面が背面板と連続し、柱状部の上面の端縁が背面板に固定されている請求項１〜３のいずれかに記載の容器ホルダ。
【請求項５】
請求項１〜４のいずれかに記載の容器ホルダにチューブ容器と背低容器が保持され、外装容器内に収容されている容器パッケージ。
【請求項６】
背低容器がジャー容器である請求項５記載の容器パッケージ。
【発明の詳細な説明】
【技術分野】
【０００１】
本発明は、チューブ容器とそれよりも背の低い容器を一つのパッケージに収容するための容器ホルダに関する。
【背景技術】
【０００２】
従来、化粧品を透明な外装ケースに収容したパッケージでは、パッケージ内で化粧品が安定した姿勢で保持されると共に、化粧品が消費者の目にとまるように、パッケージ内での配置や固定方法が工夫されている。
【０００３】
例えば、透明な樹脂シートで形成した箱内の中央の中空部で化粧品容器を保持できるように、化粧品容器の左右両側を紙製のホルダで挟持することが知られている（特許文献１）。
【０００４】
また、一つのチューブ容器と２つのボトル容器を透明な外装ケースに収容して一つのパッケージとする場合に、チューブ容器を２つのボトル容器の間で、注出口を下にして起立させる台と、チューブ容器を外装ケースの正面板に押し付けるようにチューブ容器を背面から保持する保持片とを備えたホルダが知られている（特許文献２）。
【先行技術文献】
【特許文献】
【０００５】
【特許文献１】実開平3-81824号公報
【特許文献２】特開平8-230869号公報
【発明の概要】
【発明が解決しようとする課題】
【０００６】
本発明は、チューブ容器と、該チューブ容器よりも背の低い背低容器を外装ケースに入れて一つのパッケージとする場合に、それらの容器を消費者への展示性良く保持することのできる容器ホルダを提供することを目的とする。
【課題を解決するための手段】
【０００７】
本発明者は、外装ケースの内に背低容器と、それよりも背の高いチューブ容器を隣同士で並べ、そのチューブ容器を、口部を下に向けて配置する場合に、背低容器の下端面をチューブ容器の下端面よりも高い位置で保持すると背低容器のアイキャッチ効果が高まり、また、チューブ容器のエンドシール側を庇状フラップで覆うように保持すると、チューブ容器の配置を良好に規制でき、さらにその庇状フラップを背低容器の上方にまで延設すると、庇状フラップが商品案内の優れた表示部となることを見出した。
【０００８】
即ち、本発明は、チューブ容器と、該チューブ容器よりも背の低い背低容器を並べ、チューブ容器の口部を下向きにして保持する容器ホルダであって、
背低容器の下端面がチューブ容器の下端面よりも高い位置となるように背低容器を保持する容器保持穴が形成された柱状部、
チューブ容器のエンドシール側を保持すると共に、背低容器の上方を覆う庇状フラップ、及び
チューブ容器と背低容器の背面に対向する背面板、を有し、
背面板の上端辺と庇状フラップが連続し、柱状部が背面板に固定されている容器ホルダを提供する。
【０００９】
また、本発明は、上述の容器ホルダにチューブ容器と背低容器が保持され、外装容器内に収容されている容器パッケージを提供する。
【発明の効果】
【００１０】
本発明の容器ホルダによれば、チューブ容器と、該チューブ容器よりも背の低い背低容器が並び、背低容器の下端面がチューブ容器の下端面よりも高い位置で保持されるので、チューブ容器に対して背低容器が浮き上がった状態となり、背低容器のアイキャッチ性が高まる。さらに、チューブ容器のエンドシール側は庇状フラップで覆われるので、口部を下に向けているチューブ容器の配置を良好に規制することができる。さらに、庇状フラップは、チューブ容器と並ぶ背低容器の上方にまで延設されているので、庇状フラップは、容器ホルダにおいてオーニングのような外観を呈し、この部分が商品情報の良好な表示部となる。したがって、本発明の容器ホルダは、商品の展示性に優れたものとなる。
【図面の簡単な説明】
【００１１】
【図１】図１は、実施例の容器ホルダの斜視図である。
【図２】図２は、実施例の容器ホルダに容器を保持させた容器パッケージの斜視図である。
【図３Ａ】図３Ａは、実施例の容器ホルダのブランクシートの平面図である。
【図３Ｂ】図３Ｂは、実施例の容器ホルダの組み立て方法の説明図である。
【図３Ｃ】図３Ｃは、実施例の容器ホルダの組み立て方法の説明図である。
【図３Ｄ】図３Ｄは、実施例の容器ホルダの組み立て方法の説明図である。
【図４Ａ】図４Ａは、実施例の容器ホルダの異なるブランクシートの平面図である。
【図４Ｂ】図４Ｂは、実施例の容器ホルダの組み立て方法の説明図である。
【図４Ｃ】図４Ｃは、実施例の容器ホルダの組み立て方法の説明図である。
【図５】図５は、実施例の容器ホルダの斜視図である。
【図６】図６は、実施例の容器ホルダに容器を保持させた容器パッケージの斜視図である。
【図７】図７は、実施例の容器ホルダのブランクシートの平面図である。
【図８】図８は、比較例の容器パッケージの斜視図である。
【発明を実施するための形態】
【００１２】
以下、本発明を図面に基づいて詳細に説明する。なお、各図中、同一符号は同一又は同等の構成要素を表している。
図１は、本発明の一実施例の容器ホルダ１０Ａの斜視図であり、板紙製ブランクシート１０Ａaの折り曲げにより形成されている。図３Ａは、この容器ホルダ１０Ａの展開形状を示すブランクシート１０Ａaの平面図である。また、図２は、この容器ホルダ１０Ａを使用した容器パッケージ１Ａである。
【００１３】
容器パッケージ１Ａでは、容器ホルダ１０Ａの中央に背が低く広口のジャー容器２が正立状態で保持され、その右隣にチューブ容器３が口部を下向きにして保持され、左隣にボトル容器４が正立状態で保持されている。ここで、ジャー容器２の底面は容器ホルダ１０Ａの底面よりも高い位置にあり、ジャー容器２は、容器ホルダ１０Ａ内の中央部で浮いたように保持されている。そして、これらの容器を保持した容器ホルダ１０Ａの全体が、透明なフィルム材料で形成された外装袋５に収容され、外装袋５の上部には、商品情報Ｘ１が印刷されている。
【００１４】
容器ホルダ１０Ａの中央部には、ジャー容器２の底面を、該容器ホルダ１０Ａの底面よりも高い位置で保持できるように、容器保持穴１１を有する柱状部１２が設けられている。この場合、容器保持穴１１の下横枠を形成する柱状部下部正面板１２ａの上縁１２ａpでジャー容器２の底面を支持し、ジャー容器２の側面を、容器保持穴１１の縦枠を形成する柱状部側面板１２ｃで保持する。このようにジャー容器２を容器ホルダ１０Ａの中央部で浮かすように保持することにより、消費者にジャー容器２をアピールし、ジャー容器２のアイキャッチ性、展示性を高めることができる。ここで、容器ホルダ１０Ａの底面板１９から容器保持穴１１までの柱状部下部正面板１２ａの高さ寸法Ｈ１は、ジャー容器２の展示性を高める点、及び容器ホルダ１０Ａの組み上げやすさの点から、１０ｍｍ以上とすることが好ましい。
【００１５】
容器ホルダ１０Ａには、チューブ容器３のエンドシール側とジャー容器２の上方を一面で覆う庇状フラップ１３が設けられている。庇状フラップ１３は、チューブ容器３のエンドシール側の外形に沿うように、容器ホルダ１０Ａの上端部から斜めに垂下しており、容器ホルダ１０Ａにおいてオーニングのような外観を呈している。したがって、庇状フラップ１３は、消費者の目にとまりやすく、商品情報Ｘ２の良好な表示部となる。また、庇状フラップ１３は、容器ホルダ１０Ａにチューブ容器３を保持させるためのエンドシール側の保持板としても機能する。
【００１６】
容器ホルダ１０Ａは、チューブ容器３とジャー容器２の背面に対向する位置に背面板１４（図３Ａ）を有し、背面板１４の上端辺と庇状フラップ１３とが連続している。ここで、背面板１４の高さＨ２は、チューブ容器３の高さと同程度とすることが好ましい。また、後述するように、背面板１４には、容器ホルダ１０Ａを形成する板紙の折り込みにより柱状部１２が固定されている。このように、容器ホルダ１０Ａにおいて柱状部１２を固定することにより、容器保持のための安定性を高めることができる。
【００１７】
また容器ホルダ１０Ａでは、庇状フラップ１３から容器保持穴１１側に中央フラップ１５が延設され、中央フラップ１５からさらに容器保持穴１１側に折り込み片１６が延設され、折り込み片１６が容器保持穴１１の内側に折り込まれ、その折れ線Ｌ１が、容器保持穴１１に嵌められたジャー容器２の天面に当接するようにしている。このように、折り込み片１６を容器保持穴に折り込むことにより、庇状フラップ１３の組み立てが安定する。
【００１８】
この容器ホルダ１０Ａは、例えば、図３Ａの展開形状の板紙製ブランクシート１０Ａaの折り曲げにより、次のように製造される。
ブランクシート１０Ａaでは、柱状部１２を形成する柱状部下部正面板１２ａ、柱状部上部正面板１２ｂ及び柱状部側面板１２ｃが、第１の上面側板１７ａを介して背面板１４と連続している。そこで、図３Ｂに示すように、第１の上面側板１７ａを背面板１４上に折重ね、柱状部下部正面板１２ａと柱状部上部正面板１２ｂを折り曲げにより背面板１４の前面に突出させ、第２の上面側板１７ｂの側辺１７ｂpを、背面板１４と第３の上面側板１７ｃとの間の折れ線Ｌ２に合わせる。次に、図３Ｃに示すように、第２の上面側板１７ｂ上に第３の上面側板１７ｃを折重ね、第３の上面側板１７ｃから突出する差し込み片１７ｃpを、柱状部側面板１２ｃと第２の上面側板１７ｂとの間の切れ目２１に差し込む。次に、柱状部の底部フラップ１８を柱状部１２内に折り込む。さらに、図３Ｄに示すように、庇状フラップ１３を前面に折り倒し、中央フラップ１５を柱状部上部正面板１２ｂに重ね、折り込み片１６を柱状部１２の容器保持穴１１内に折り込む。また背面板１４に連続する底面板１９から突出した折り込み片２０も柱状部１２内に折り込む。こうして、図１に示す容器ホルダ１０Ａを組み上げることができる。
【００１９】
なお、この容器ホルダ１０Ａを形成するブランクシートは、図３Ａに示したものに限らず、例えば、図４Ａに示すブランクシート１０Ａbのように、柱状部１２を形成する柱状部下部正面板１２ａ、柱状部上部正面板１２ｂ及び柱状部側面板１２ｃを、底面板１９を介して背面板１４と連続させてもよい。このブランクシート１０Ａbを使用する場合には、まず、図４Ｂに示すように、柱状部下部正面板１２ａ、柱状部上部正面板１２ｂ及び柱状部側面板１２ｃを、背面板１４上に折り曲げ、柱状部上部正面板１２ｂに連続する柱状部支持板２２ののりしろ片２３を背面板１４に貼着する。次に、図４Ｃに示すように柱状部側面板１２ｃを折り曲げ、柱状部側面板１２ｃの縁辺の切欠１２ｃpに、上面板１７の差し込み片１７pを差し込むことにより、図１に示す容器ホルダ１０Ａを組み上げることができる。
【００２０】
本発明の容器ホルダは種々の態様をとることができる。例えば、図５に示す容器ホルダ１０Ｂのように、容器保持穴１１の下横枠となる柱状部下部正面板１２ａの上縁１２ａp形状を、この上縁１２ａpで保持する背低容器の下端面の形状に適合させてもよい。
【００２１】
図６は、図５の容器ホルダ１０Ｂの容器保持穴１１に、背の低いチューブ容器６を保持させ、その横隣には、図２に示した容器パッケージ１Ａと同様に、チューブ容器３を口部を下向きにして保持させると共にボトル容器４を正立状態で保持させ、容器ホルダ１０Ｂ全体を外装袋５に収容した容器パッケージ１Ｂの斜視図である。
【００２２】
図７は、容器ホルダ１０Ｂのブランクシート１０Ｂaの平面図である。このブランクシート１０Ｂaは、図３Ａに示したブランクシート１０Ａaにおいて、柱状部下部正面板１２ａの上縁１２ａpの形状をチューブ容器６の底面の支持に適合させたものである。したがって、図３Ａに示したブランクシート１０Ａaと同様に組み立てることができる。
【００２３】
このように、本発明の容器ホルダでは、柱状部１２の容器保持穴１１に、庇状フラップ１３の下で保持するチューブ容器３よりも背の低いジャー容器、瓶容器、チューブ容器などの種々の背低容器を保持することができる。
【００２４】
庇状フラップ１３の外で保持する容器としては、ボトル容器４の他、任意の容器とすることができ、複数本を並列させてもよい。
【００２５】
なお、容器パッケージ１Ａ、１Ｂにおいては、庇状フラップ１３の外で保持する容器をチューブ容器３と同程度の高さ寸法とすることが好ましく、この高さ寸法に容器ホルダ１０Ａの背面板１４の高さＨ２を合わせることが好ましい。また、ジャー容器２の高さ寸法が、チューブ容器３の高さ寸法の２分の１から５分の１程度となるように、これらの容器の高さを設定することが好ましい。
【００２６】
また、本発明の容器ホルダは、プラスチックシートで形成されたブランクシートの組み立てにより製造してもよく、また、一体成型により製造してもよい。
【００２７】
一方、本発明の容器ホルダに容器を保持させたものを外装容器に収容して容器パッケージ１Ａ、１Ｂとするにあたり、使用する外装容器としては、袋状のもの、箱状のものなどを使用することができる。特に外装容器として袋状のものを用いる場合は、容器ホルダ１０Ａの剛性により、ここで保持する容器の外装容器からの出し入れが容易となる。
【実施例】
【００２８】
背低容器とチューブ容器を並べる場合に、背低容器をチューブ容器に対して浮き上がったように保持することが、背低容器の展示性に及ぼす影響を試験するため、図８に示す比較例の容器パッケージ１Ｘを作製した。この容器パッケージ１Ｘは、ジャー容器２の下端面の位置がチューブ容器３の下端面の位置と揃うようした以外は図２の実施例の容器パッケージ１Ａと同様に構成したものである。
【００２９】
図２の実施例の容器パッケージ１Ａにおけるジャー容器２と、図８の比較例の容器パッケージにおけるジャー容器２のアイキャッチ性を、次の５段階の評価基準によりスコアリングし、２０〜４０歳の女性６名から評価を得てその平均を算出した。結果を表１に示す。
１：アイキャッチ性を全く感じない
２：アイキャッチ性をあまり感じない
３：どちらとも言えない
４：アイキャッチ性を感じる
５：アイキャッチ性を非常に感じる。
【００３０】
【表１】
0005824973.tif 000002
【００３１】
表１の結果から、ジャー容器２などの背低容器が容器ホルダ内で浮き上がったように保持されていることにより、アイキャッチ効果が高まり、優れたディスプレイ効果を得られることが確認できた。
【符号の説明】
【００３２】
１Ａ    容器パッケージ
１Ｂ    容器パッケージ
２      ジャー容器
３      チューブ容器
４      ボトル容器
５      外装袋
６      チューブ容器
１０Ａ    容器ホルダ
１０Ａa    容器ホルダのブランクシート
１０Ａb    容器ホルダのブランクシート
１０Ｂ    容器ホルダ
１０Ｂa   容器ホルダのブランクシート
１１      容器保持穴
１２      柱状部
１２ａ    柱状部下部正面板
１２ａp   柱状部下部正面板の上縁
１２ｂ    柱状部上部正面板
１２ｃ    柱状部側面板
１２ｃp   切欠
１３      庇状フラップ
１４      背面板
１５      中央フラップ
１６      折り込み片
１７      上面板
１７p     上面板の差し込み片
１７ａ    第１の上面側板
１７ｂ    第２の上面側板
１７ｂp   第２の上面側板の側辺
１７ｃ    第３の上面側板
１７ｃp   第３の上面側板の差し込み片
１８      柱状部の底部フラップ
１９      底面板
２０      折り込み片
２１      切れ目
２２      柱状部支持板
２３      のりしろ片
Ｈ１      柱状部下部正面板の高さ寸法
Ｈ２      背面板の高さ
Ｌ１      折れ線
Ｌ２      背面板と上面側板との間の折れ線
Ｘ１、Ｘ２  商品情報
【図１】
0005824973.tif 000003
【図２】
0005824973.tif 000004
【図３Ａ】
0005824973.tif 000005
【図３Ｂ】
0005824973.tif 000006
【図３Ｃ】
0005824973.tif 000007
【図３Ｄ】
0005824973.tif 000008
【図４Ａ】
0005824973.tif 000009
【図４Ｂ】
0005824973.tif 000010
【図４Ｃ】
0005824973.tif 000011
【図５】
0005824973.tif 000012
【図６】
0005824973.tif 000013
【図７】
0005824973.tif 000014
【図８】
0005824973.tif 000015